(57)【特許請求の範囲】
【請求項１】
熱交換器、送風機を有したユニット本体を天井内に埋設、若しくは天井から吊下げ、前記ユニット本体の下部に吸い込みグリルを有した化粧パネルを備えると共に、前記化粧パネルに設けられ正逆回転駆動される一対の回転ドラムと、前記各回転ドラムを夫々正逆回転駆動する一対の電動モータと、前記吸い込みグリルの４角隅部に設けられたガイドローラ組立体と、前記回転ドラムによって繰り出し、巻き取られる２本のワイヤを夫々一対の前記ガイドローラ組立体のガイドローラに掛けて前記化粧パネルに係止し、前記回転ドラムを正逆転することで前記吸い込みグリルを昇降させる天井設置型空気調和機において、
前記ガイドローラ組立体は、前記ガイドローラを挟み込み、前記ガイドローラの左右方向の移動を規制する一対の左右側規制部と、前記左右側規制部の前記ガイドローラの配置位置より上側の前記左右側規制部を連結する上側連結部と、前記左右側規制部の前記ガイドローラの配置位置より下側の前記左右側規制部を連結する下側連結部を備えたガイドローラ支持体よりなり、前記ガイドローラ支持体を形成する前記左右側規制部、前記上側連結部、及び前記下側連結部は一体的に形成されて内部に前記ガイドローラを収納する収納部を有する箱状に形成され、前記収納部に前記ガイドローラを収納した状態で一対の前記左右側規制部によって前記ガイドローラの回転軸を支持すると共に、
前記ガイドローラ支持体の前記左右側規制部には案内溝が形成されており、前記案内溝は、一方が開放された開放部を備えた水平通路部と、この水平部に接続され他方が閉塞した閉塞部を備えた垂直通路部よりなる溝であり、前記ガイドローラの前記回転軸が前記開放部から前記水平通路部を移動した後に前記垂直通路部で軸支されることを特徴とする天井設置型空気調和機。
【請求項２】
請求項１に記載の天井設置型空気調和機において、
前記左右側規制部に形成された前記案内溝の幅は、前記ガイドローラの前記回転軸の直径より大きいことを特徴とする天井設置型空気調和機。
【請求項３】
請求項１に記載の天井設置型空気調和機において、
前記左右側規制部、前記下側連結部、及び前記上側連結部は、合成樹脂で一体的に形成されていることを特徴とする天井設置型空気調和機。
【請求項４】
請求項１乃至請求項３のいずれか１項に記載の天井設置型空気調和機において、
前記下側連結部は、前記吸い込みグリルの取付部を兼ねていることを特徴とする天井設置型空気調和機。
【発明の詳細な説明】
【技術分野】
【０００１】
本発明は、室内の冷房又は暖房を行うユニット本体を室内の天井に設置した天井設置型空気調和機に関するものである。
【背景技術】
【０００２】
ユニット本体の下部に化粧パネルを装着する天井設置型空気調和機（以下、空気調和機と表記する）において、吸い込みグリルのフィルタ、或いは吸い込みグリルの清掃、点検、又は交換を容易に行うため、吸い込みグリルを昇降自在にした空気調和機が知られている。
【０００３】
例えば、空気調和機の内部に回転ドラムを設け、この回転ドラムに巻回されたワイヤの他端を吸い込みグリルに固定して吸い込みグリルを昇降自在に支持し、電動モータの駆動により吸い込みグリル及び吸い込みグリルに支持されたフィルタを昇降する空気調和機が知られている。しかしながら、この空気調和機においては、ワイヤを吸い込みグリルに固定しているため、吸い込みグリルを床面に対して水平に保つことが困難であるという課題があった。
【０００４】
このような課題を解決するため、例えば、特開平１１−２３００１号公報（特許文献１）においては、化粧パネルに電動モータによって正逆回転駆動される回転ドラムと、吸い込みグリルに回転可能なガイドローラを備えたガイドローラ組立体を設け、回転ドラムに巻回されたワイヤの端部をガイドローラ組立体のガイドローラに通して化粧パネルに固定した空気調和機が提案されている。そして、この空気調和機においては、電動モータによって回転ドラムを回転してワイヤを繰り出し或いは巻き取ると、吸い込みグリルはこれに対応して昇降されることになる。
【０００５】
すなわち、リモコン等によって吸い込みグリルを所定の位置まで降下させ、フィルタ或いは吸い込みグリルを清掃、点検、又は交換することができるようになる。更に清掃等の作業後は、回転ドラムでワイヤを巻き取り、吸い込みグリルを上昇させて化粧パネルに取り付けられたマイクロスイッチによって、吸い込みグリルが化粧パネルに収納された時に回転ドラムの回転が自動停止するものである。
【０００６】
そして、この吸い込みグリルが昇降動作される時、ガイドローラ組立体のガイドローラによってワイヤを案内しているので、ワイヤが繰り出し或いは巻き取られても、ガイドローラが回転することによって吸い込みグリルはワイヤの移動とは無関係に水平状態の位置を保持することができるものである。
【先行技術文献】
【特許文献】
【０００７】
【特許文献１】特開平１１−２３００１号公報
【発明の概要】
【発明が解決しようとする課題】
【０００８】
そして、特許文献１に記載の空気調和機では、ワイヤを繰り出し、或いは巻き取ることで吸い込みグリルを昇降しているが、ガイドローラ組立体のガイドローラの回転軸は二股状のガイドローラ支持部によって回転自在に支持されている。ところが、このガイドローラ支持部はガイドローラ組立体からワイヤを取り出したりするために弾性を備えている。このため、この弾性を備えたガイドローラ支持部が何らかの要因で外側に撓むと、ガイドローラの回転軸が撓んだローラ支持部から外れてしまい、吸い込みグリルが大きく傾いたり、吸い込みグリルが落下するという課題があり、安全性の確保が強く要請されている。
【０００９】
また、これ以外の構成のガイドローラ組立体としては、合成樹脂で形成され上端が開放された２つの側面壁に、水平方向に延びる一方が開放され他方が閉塞した水平案内溝を形成し、この水平案内溝の途中にガイドローラの回転軸を軸支する軸支孔を形成したものが知られている。そして、ガイドローラの回転軸を水平案内溝の開放側から差し込んで軸支孔まで移動させ、これによってガイドローラの回転軸を２つの側面壁に軸支するようにしている。
【００１０】
しかしながら、この構成のガイドローラ組立体においては、水平案内溝が水平方向に向けて開放されているので、ワイヤの移動によってガイドローラが水平案内溝を移動して側面壁から外れたり、側面壁が合成樹脂であり、かつ上方が開放されているので、側面壁が外側に撓んでガイドローラの回転軸が撓んだ側面壁からから外れてしまう恐れがある。したがって、特許文献１と同様に吸い込みグリルが大きく傾いたり、吸い込みグリルが落下するという課題があり、安全性の確保が強く要請されている。
【００１１】
本発明の目的は、ガイドローラ組立体のガイドローラが外れるのを抑制して安全性を高めた新規な空気調和機を提供することにある。
【課題を解決するための手段】
【００１２】
本発明の特徴は、ガイドローラを挟み込み、ガイドローラの左右方向の移動を規制する一対の左右側規制部と、左右側規制部のガイドローラの配置位置より上側の左右側規制部を連結する上側連結部と、左右側規制部に設けられ、ガイドローラの回転軸の上方向の移動を規制する上側規制部と、左右側規制部に設けられ、ガイドローラの回転軸の前後方向(ワイヤの移動方向)の移動を規制する前後側規制部と、左右側規制部のガイドローラの配置位置より下側の左右側規制部を連結する下側連結部を備えたガイドローラ支持体によってガイドローラの回転軸を支持する、ところにある。
【発明の効果】
【００１３】
本発明によれば、ガイドローラ支持体の上側規制部、左右側規制部及び前後側規制部によって、ガイドローラの回転軸がガイドローラ支持体から脱落することがなくなり、安全性を高めることができるようになる。
【図面の簡単な説明】
【００１４】
【図１】本発明が適用される空気調和機の吸い込みグリルが下降した状態を示す側断面図である。
【図２】本発明のガイドローラ組立体を実装した吸い込みグリルを斜め上方から見た斜視図である。
【図３】本発明の第１の実施形態になるガイドローラ組立体の全体斜視図である．
【図４】本発明の第２の実施形態になるガイドローラ組立体の全体斜視図である。
【発明を実施するための形態】
【００１５】
本発明の実施形態について図面を用いて詳細に説明するが、本発明は以下の実施形態に限定されることなく、本発明の技術的な概念の中で種々の変形例や応用例をもその範囲に含むものである。
【００１６】
以下、本発明の実施形態を説明するが、その前に本発明が適用される空気調和機の全体的な構成を図１に基づき説明する。図１において、参照番号２は、天井埋込型の空気調和機の室内ユニットであるユニット本体を示し、室内の天井１の裏に埋設される。ユニット本体２の内部には、熱交換器３、ドレインパン４、送風機５、電動ファンモータ６が配置され、その下部には開口部を覆うように化粧パネル７が着脱自在に装着されている。
【００１７】
化粧パネル７の中央部には吸い込み口８が形成され、吸い込み口８の両側２方向或いは周辺４方向には吹き出し口９が設けられている。吸い込み口８には吸い込みグリル１０が嵌合され、その上部にはフィルタ１１が吸い込みグリル１０に着脱自在となるように装着されている。
【００１８】
この空気調和機で冷房運転を行う場合は、図示しない冷凍サイクルを作動させて冷媒配管（図示せず）を通して冷媒を熱交換器３に流通させる。そして、室内空気は電動ファンモータ６で駆動される送風機５により吸い込み口８から吸い込まれ、フィルタ１１で清浄化された後に熱交換器３に送られる。熱交換された空気は冷却されて冷却風として吹き出し口９から室内に吹き出され、室内を冷房する。尚、暖房運転の場合もこれとほぼ同様であるので説明を省略する。
【００１９】
次に、吸い込みグリルの昇降機構について説明する。図１、図２において、吸い込みグリル１０の４つの隅部にはそれぞれガイドローラ組立体１２が取付けられている。２本のワイヤ１３は、それぞれの一端がガイドローラ組立体１２を介して電動モータ１４で駆動される回転ドラム１５に巻回され、他端が化粧パネル７に固定されて吸い込みグリル１０を昇降自在に支持している。尚、電動モータ１４と回転ドラム１５は夫々のワイヤ１３に対応して一対設けられている。
【００２０】
回転ドラム１５は図示しない制御部にて駆動制御される可逆回転可能な電動モータ１４により駆動され、この駆動によりワイヤ１３が回転ドラム１５から繰り出されたり、巻き取られて吸い込みグリル１０が昇降される。尚、通常では吸い込みグリル１０は化粧パネル７内に収納される。
【００２１】
フィルタ１１および吸い込みグリル１０を洗浄する場合、吸い込みグリル１０が化粧パネル７に収納されている時に電動モータ１４を駆動する。そして、一対の電動モータ１４を回転することにより各回転ドラム１５から夫々のワイヤ１３が繰り出されることで吸い込みグリル１０が下降して吊り下げられる。
【００２２】
吸い込みグリル１０が所定の位置まで降りてきたとき、リモコン等を操作して電動モータ１４の駆動を停止させる。吸い込みグリル１０が下降した後は、フィルタ１１を取り外して清掃あるいは洗浄することができる。
【００２３】
フィルタ１１の洗浄後、フィルタ１１を再び吸い込みグリル１０に設置し、再度リモコン等を操作して電動モータ１４を駆動させれば、回転ドラム１５にワイヤ１３が巻き取られ、吸い込みグリル１０は上昇する。尚、化粧パネル７にマイクロスイッチ等の検出器を取り付けてあるので、吸い込みグリル１０が化粧パネル７の吸い込み口８に収納されたとき電動モータ１４の駆動を自動停止することができる。
【００２４】
次に本発明の実施形態になるガイドローラ組立体の具体的な構成を説明する。
【実施例１】
【００２５】
図３は本発明の第１の実施形態のガイドローラ組立体１２の全体斜視図を示している。ガイドローラ組立体１２は、ガイドローラ支持体２０と、このガイドローラ支持体２０の内部に収納されているガイドローラ２１から構成されている。ガイドローラ２１は中心付近に回転軸２２を有しており、ガイドローラ２１と回転軸２２は一体的に形成されている。ガイドローラ２１と回転軸２２はポリオキシメチレン（ＰＯＭ）のような合成樹脂で作られており、射出成型によって図示のような形状に作られている。
【００２６】
ガイドローラ支持体２０は全体が合成樹脂で一体的に作られており、内部にガイドローラ２１を収納する収納部２３が形成されている。ガイドローラ支持体２０の上側にはガイドローラ２１の上端を覆う壁面状の上側覆い部（上側連結部）２４が形成され、また、ガイドローラ支持体２０の左右にはガイドローラ２１の左側を覆う壁面状の左側覆い部（左側規制部）２５と、ガイドローラ２１の右側を覆う壁面状の右側覆い部（右側規制部）２６が形成されている。更に、左右側覆い部２５、２６のガイドローラ２１の下側部は下側連結部２９で連結されており、この下側連結部２９は吸い込みグリル１０への取付部としての機能を備えている。ここで、本実施例では上側覆い部２４、左右側覆い部２５、２６及び連結部２９は射出成型によって合成樹脂で一体的に形成され、かつ両端が開放された箱状に形成されているので、変形等の恐れがなく機械的強度が大きいものである。
【００２７】
左右側覆い部２５、２６の側面には案内溝２７が形成されており、この案内溝２７は図にある通り、一方が開放された開放部２７Ａと他方が閉塞した閉塞部２７Ｂを備えた水平通路部２７Ｃと垂直通路部（上側規制部と前後側規制部）２７Ｄよりなる「Ｌ」字状の溝である。そして、水平通路部２７Ｃはガイドローラ２１の回転軸２２が移動できる幅（回転軸２２の直径より大きい）を有し、また、垂直通路部２７Ｄは途中までガイドローラ２１の回転軸２２が移動できる幅（回転軸２２の直径より大きい）を有している。
【００２８】
したがって、ガイドローラ支持体２０にガイドローラ２１を組み込む場合は、回転軸２２を左右側覆い部２５、２６の水平通路部２７Ｃに沿って移動させ、その後に垂直通路部２７Ｄに移動させれば、回転軸２２はこの部分で軸支され、ガイドローラ支持体２０にガイドローラ２１を組み込むことができる。更に、このようにして作られたガイドレール組立体１２の連結部２９を、嵌合、或いは固定ねじによって吸い込みグリル１０に固定すれば良いものである。そして、ワイヤ１３はガイドローラ２１の外周側から収納部２３の空間を通って反対側のガイドローラ２１の外周から引き出されるものである。
【００２９】
したがって、ガイドローラ２１の回転軸２２は垂直通路部２７Ｄで上方向の移動と前後方向（ワイヤの移動方向）の移動が規制され、また、ガイドローラ２１は左右側覆い部２５、２６の内側の側面で左右方向の移動が規制されることになる。したがって、ワイヤ１３の移動によってもガイドローラ２１の回転軸２２は垂直通路部２７Ｄによって移動が阻止されるので、脱落する恐れが少なくなるものである。
【００３０】
また、この時、左右側覆い部２５、２６は上側連結部２４と下側連結部２９で連結されているため強度的に強くなり、左右側覆い部２５、２６が撓むことなく、ガイドローラ２１がガイドローラ組立体１２から脱落する恐れがないものとなる。
【００３１】
このように、本実施例によれば、ガイドローラを挟み込み、ガイドローラの左右方向の移動を規制する一対の左右側覆い部（左右側規制部）と、左右側覆い部を連結する上側覆い部（上側連結部）と、左右側覆い部に設けられ、ガイドローラの回転軸の上方向の移動を規制し、かつガイドローラの回転軸の前後方向（ワイヤの移動方向）の移動を規制する垂通路部（上側規制部と前後側規制部）と、ガイドローラの配置位置より下側の左右側覆い部を連結する下側連結部を備えたガイドローラ組立体によってガイドローラの回転軸を支持する構成としている。これによれば、ガイドローラの回転軸がガイドローラ支持体から脱落することがないので、安全性を高めることができるようになる。
【実施例２】
【００３２】
図４は本発明の第２の実施形態のガイドローラ組立体１２の全体斜視図を示している。ガイドローラ組立体１２は、第１ガイドローラ支持体２０Ａ、第２ガイドローラ支持体２０Ｂと、この夫々のガイドローラ支持体２０Ａ、２０Ｂの内部に収納されているガイドローラ２１から構成されている。ガイドローラ２１は中心付近に回転軸２２を有しており、ガイドローラ２１と回転軸２２は一体的に形成されている。ガイドローラ２１と回転軸２２は合成樹脂で作られており、射出成型によって図示のような形状に作られている。
【００３３】
第１ガイドローラ支持体２０Ａと第２ガイドローラ支持体２０Ｂは、ガイドローラ２１の回転軸２２の軸方向に沿って分割されている。夫々のガイドローラ支持体２０Ａ、２０Ｂは全体が合成樹脂で一体的に作られており、内部にガイドローラ２１を収納する収納部２３が形成されている。
【００３４】
夫々のガイドローラ支持体２０Ａ、２０Ｂの上側にはガイドローラ２１の上端を覆う壁面状の上側覆い部（上側連結部）２４Ａ、２４Ｂが形成され、また、ガイドローラ支持体２０Ａ、２０Ｂの左右にはガイドローラ２１の左側を覆う壁面状の左側覆い部（左側規制部）２５Ａ、２５Ｂと、ガイドローラ２１の右側を覆う壁面状の右側覆い部（右側規制部）２６Ａ、２６Ｂが形成されている。
【００３５】
更に、左右側覆い部２５Ａ、２５Ｂ、２６Ａ、２６Ｂのガイドローラ２１の下側部は下側連結部２９Ａ、２９Ｂで連結されており、この下側連結部２９Ａ、２９Ｂは吸い込みグリル１０への取付部としての機能を備えている。ここで、本実施例では上側覆い部２４Ａ、２４Ｂ、左右覆い部２５Ａ、２５Ｂ、２６Ａ、２６Ｂ及び下側連結部２９Ａ、２９Ｂは射出成型によって合成樹脂で一体的に形成され、かつ両端が開放された箱状に形成されているので、変形等の恐れがなく機械的強度が大きいものである。
【００３６】
左右側覆い部２５Ａ、２５Ｂ、２６Ａ、２６Ｂの側面には半円状の支持孔２８（上側規制部と前後側規制部）が形成されており、この支持孔２８は図にある通り、左右側覆い部２５Ａ、２５Ｂ、２６Ａ、２６Ｂが組み合わされた時にガイドローラ２１の回転軸２２を軸支する構成となっている。
【００３７】
したがって、ガイドローラ支持体２０にガイドローラ２１を組み込む場合は、ガイドローラ２１を挟んでガイドローラ支持体２０Ａ、２０Ｂを組み合わせ、左右側覆い部２５Ａ、２５Ｂ、２６Ａ、２６Ｂの側面に形成された半円状の支持孔２８にガイドローラ２１の回転軸２２を配置することによって図にある通り、左右側覆い部２５Ａ、２５Ｂ、２６Ａ、２６Ｂが組み合わされた時にガイドローラ２１の回転軸２２を軸支することができる。この状態でガイドローラ支持体２０Ａ、２０Ｂを相互に固定ねじによって固定すればガイドローラ組立体１２が完成されるものである。尚、固定ねじの代わりに接着剤や超音波溶着によって固定することができる。
【００３８】
更に、このようにして作られたガイドローラ組立体１２の連結部２９Ａ、２９Ｂを嵌合、或いは固定ねじによって吸い込みグリル１０に固定すれば良いものである。そして、ワイヤ１３はガイドローラ２１の外周側から収納部２３の空間を通って反対側のガイドローラ２１の外周から引き出されるものである。
【００３９】
このように、ガイドローラ２１の回転軸２２は左右側覆い部２５Ａ、２５Ｂ、２６Ａ、２６Ｂの側面に形成された半円状の支持孔２８で上方向及び前後方向の移動が規制され、また、ガイドローラ２１は左右側覆い部２５Ａ、２５Ｂ、２６Ａ、２６Ｂの内側の側面で左右方向の移動が規制されることになる。したがって、ワイヤ１３の移動によってもガイドローラ２１の回転軸２２は垂直通路部２７Ｄによって移動が阻止されるので、脱落する恐れが少なくなるものである。
【００４０】
また、この時、左右側覆い部２５Ａ、２５Ｂ、２６Ａ、２６Ｂは上側連結部２４Ａ、２４Ｂと下側連結部２９Ａ、２９Ｂで連結されているため強度的に強くなり、左右側覆い部２５Ａ、２５Ｂ、２６Ａ、２６Ｂが撓むことなく、ガイドローラ２１がガイドローラ組立体１２から脱落する恐れがないものとなる。
【００４１】
このように、本実施例によれば、ガイドローラの回転軸の上方向の移動を規制する左右覆い部の支持孔（上側規制部と前後側規制部）と、ガイドローラを挟み込み、ガイドローラの左右方向の移動を規制する一対の左右側覆い部（左右側規制部）と、左右側覆い部のガイドローラの配置位置より下側を連結する連結部を備えたガイドローラ支持体によってガイドローラの回転軸を支持する構成としている。これによれば、ガイドローラ支持体の上側規制部と左右側規制部によってガイドローラの回転軸がガイドローラ支持体から脱落することがないので、安全性を高めることができるようになる。
【００４２】
尚、実施例１及び実施例２に示す上側覆い部２４、２４Ａ、２４Ｂによって、上側から落下するごみ等がガイドローラ２１の回転軸２２付近に付着して、ガイドローラ２１が回転不良になるのを抑制することができる。また、本実施例ではユニット本体を天井内に埋設したものを説明したが、これ以外にユニット本体を天井から吊り下げ、ユニット本体の下部に吸い込みグリルを有した化粧パネルを備えた空気調和機においても適用可能である。
【００４３】
以上述べた通り、本発明よれば、ガイドローラを挟み込み、ガイドローラの左右方向の移動を規制する一対の左右側規制部と、左右側規制部を連結する上側連結部と、左右側規制部に設けられ、ガイドローラの回転軸の上方向の移動を規制する上側規制部と、左右側規制部に設けられガイドローラの回転軸の前後方向（ワイヤの移動方向）の移動を規制する前後側規制部と、左右側規制部のガイドローラの配置位置より下側の左右側規制部を連結する下側連結部を備えたガイドローラ組立体によってガイドローラの回転軸を支持する構成とした。これによれば、ガイドローラ支持体の上側規制部と左右側規制部によってガイドローラの回転軸がガイドローラ支持体から脱落することがないので、安全性を高めることができるようになる。
【００４４】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４５】
１…天井、２…ユニット本体、３…熱交換器、５…送風機、６…ファンモータ、７…化粧パネル、８…吸い込み口、９…吹出し口、１０…吸い込みグリル、１１…フィルタ、１２…ガイドローラ組立体、１３…ワイヤ、１４…電動モータ、１５…回転ドラム、２０…ガイドローラ支持体、２１…ガイドローラ、２２…回転軸、２３…空間、２４…上側覆い部、２５…左側覆い部、２６…右側覆い部、２７…案内溝、２８…支持孔。
【図１】
0006430855.tif 000002
【図２】
0006430855.tif 000003
【図３】
0006430855.tif 000004
【図４】
0006430855.tif 000005